(57)【特許請求の範囲】
【請求項１】
軒棟方向に連続する谷部と山部とを軒長さ方向に交互に形成して屋根材を形成し、軒側の屋根材の棟側端部に棟側の屋根材の軒側端部を重ねる屋根材の接続構造であって、軒側の屋根材と棟側の屋根材との重ね接続部の軒側部に第１パッキンを、重ね接続部の軒棟方向の中間部に第２パッキンを、重ね接続部の棟側部に第３パッキンを各々重ね接続部の軒長さ方向の全長にわたって設け、第１パッキンの谷部分に通気を兼ねた排水用開口を形成し、第２パッキンの山部分に通気口を形成するとともに谷部分に通気を兼ねた排水口を形成して成ることを特徴とする屋根材の接続構造。
【請求項２】
第２パッキンの排水口には、排水は許すが雨水の流入を阻止する逆止弁を設けて成ることを特徴とする請求項１記載の屋根材の接続構造。
【請求項３】
逆止弁は、排水口の軒側の上縁部において、弁板の上端部を弁ケースに揺動自在に枢支して成ることを特徴とする請求項２記載の屋根材の接続構造。
【発明の詳細な説明】
【０００１】
【発明の属する技術分野】
本発明は、谷部と山部とを軒長さ方向に交互に形成した屋根材の接続構造に関し、詳しくは、パッキンを介装して重ね接続する場合の重ね接続部の内外の圧力差に起因する雨水の浸入を効果的に防止して充分なシールおこなおうとする技術に係るものである。
【０００２】
【従来の技術】
従来、図６に示す特開平１０−２４５９４１号公報のように、軒棟方向に連続する谷部１と山部２とを軒長さ方向に交互に形成して屋根材を形成し、軒側の屋根材Ａ１の棟側端部に棟側の屋根材Ａ２の軒側端部を重ねる屋根材の接続構造においては、軒側の屋根材Ａ１と棟側の屋根材Ａ２との重ね接続部３の軒側部に第１パッキンＰａを、重ね接続部３の棟側部に第２パッキンＰｂを重ね接続部３の軒長さ方向の全長に設けるものである。
【０００３】
つまり、重ね接続部３の軒長さ方向の全長にわたるとともに軒側部と棟側部との各々に紐状のパッキンＰａ、Ｐｂを介装するものである。
【０００４】
【発明が解決しようとする課題】
このように、重ね接続部３の軒側及び棟側において紐状のパッキンＰａ、Ｐｂを介装する場合に、紐状のパンキンＰａ、Ｐｂのいずれにおいても屋根材、特に、棟側の屋根材Ａ２との間に微少な隙間が生じやすく、紐状のパッキンＰａ、Ｐｂの内外における気圧の差に起因する雨水の吸込みによって、容易に雨水がパッキンＰａ、Ｐｂを越えて屋根裏に浸入するという問題があった。
【０００５】
本発明はこのような問題に鑑みてなされたものであり、重ね接続部にパッキンを介装する場合のパッキン内外の圧力差に起因する雨水の浸入を効果的に防止して充分なシールを図ることができる屋根材の接続構造を提供することを課題とするものである。
【０００６】
【課題を解決するための手段】
請求項１においては、軒棟方向に連続する谷部１と山部２とを軒長さ方向に交互に形成して屋根材を形成し、軒側の屋根材Ａ１の棟側端部に棟側の屋根材Ａ２の軒側端部を重ねる屋根材の接続構造であって、軒側の屋根材Ａ１と棟側の屋根材Ａ２との重ね接続部３の軒側部に第１パッキンＰ１を、重ね接続部３の軒棟方向の中間部に第２パッキンＰ２を、重ね接続部３の棟側部に第３パッキンＰ３を各々重ね接続部３の軒長さ方向の全長にわたって設け、第１パッキンＰ１の谷部分に通気を兼ねた排水用開口４を形成し、第２パッキンＰ２の山部分に通気口５を、谷部分に通気を兼ねた排水口６を形成していることを特徴とするものである。
【０００７】
このような構成によれば、第１パッキンＰ１の通気を兼ねた排水用開口４によって第１パッキンＰ１の内外における気圧の差をなくし、第２パッキンＰ２の山部分の通気口５及び谷部分の排水口６によって第２パッキンＰ２の内外の気圧の差をなくし、結果として、重ね接続部３の外部の気圧と第３パッキンＰ３以前の内部の気圧との間に差が生じるのを防止して略等圧とするのであり、重ね接続部３の内部に内外の気圧の差に起因して吸込みによる雨水の浸入を防止することができ、つまり、負圧によるシール破壊を効果的に防止することができ、しかも、第１パッキンＰ１の通気を兼ねた排水用開口４及び第２パッキンＰ２の谷部分に形成した通気を兼ねた排水口６から第３パッキンＰ３側に浸入した雨水は、排水口６及び排水用開口４から屋根勾配によって自然に排水することができるのであり、このように、流入した雨水は自然に排水することができるのであり、しかして、重ね接続部３の内外の圧力差に起因する雨水の浸入を効果的に防止して充分なシールを図ることができるものである。
【０００８】
請求項２においては、第２パッキンＰ２の排水口６には、排水は許すが雨水の流入を阻止する逆止弁７を設けていることを特徴とするものである。このような構成によれば、第２パッキンＰ２の排水口６からの雨水の浸入を阻止することができ、雨水の吹込みを防止することができる。
【０００９】
請求項３においては、逆止弁７は、排水口６の軒側の上縁部において、弁板８の上端部を弁ケース９に揺動自在に枢支していることを特徴とするものである。このような構成によれば、逆止弁７は上端部において揺動自在に吊下げられていて、屋根の勾配に起因して僅かな開き状態になるのであり、このように自然状態では開いていることから、浸入した雨水の排水を良好におこなうことができながら、逆止弁７に浸入しようとする風雨によって弁板８を揺動させて閉じることができ、雨水の浸入を効果的に防止することができる。
【００１０】
【発明の実施の形態】
以下、本発明の実施の形態を説明する。図１は概略斜視図、図２は概略断面図、図３は概略正面図、図４は逆止弁を示している。
【００１１】
金属製の屋根板１０は、ロール成形にて角波形状に曲げ加工され、このような屋根板１０と平坦な金属板１１間に合成樹脂発泡層１２を充填発泡させて屋根材としての断熱屋根パネル１３が構成されている。
【００１２】
断熱屋根パネル１３の軒側端部の屋根板１０の下面の合成樹脂発泡層１２及び金属板１１が除去されて屋根板１０の軒側端部が露出している。本発明は、上述のような断熱屋根パネル１３に実施したが、合成樹脂発泡層１２がない折板屋根材や、二重折板構造で上下の折板間にロックウールや繊維状の通常の断熱材を充填した構成の屋根材等に実施してもよいものである。
【００１３】
断熱屋根パネル１３、１３を棟軒方向に接続するのに際して、図２及び図３に示すように、軒側と棟側の断熱屋根パネル１３、１３を母屋１４に載置し、軒側の断熱屋根パネル１３の棟側端部に棟側の断熱屋根パネル１３の軒側端部を重ねるのであり、このような重ね接続部３の軒側部に第１パッキンＰ１を、重ね接続部３の軒棟方向の中間部に第２パッキンＰ２を、重ね接続部３の棟側部に第３パッキンＰ３を各々重ね接続部３の軒長さ方向の全長にわたって敷設するのである。
【００１４】
ところで、第１パッキンＰ１の谷部分に通気を兼ねた排水用開口４を形成している。第２パッキンＰ２の山部分に通気口５を、谷部分に通気を兼ねた排水口６を形成している。第３パッキンＰ３は全長において均等なシールおこなうものである。このような第１パッキンＰ１乃至第３パッキンＰ３は、例えば、ＥＰＤＭ、シリコンゴム、ウレタン、塩ビ等のスポンジ状パッキンである。
【００１５】
このような構成によれば、第１パッキンＰ１の通気を兼ねた排水用開口４によって第１パッキンＰ１の内外における気圧の差をなくすのである。又、第２パッキンＰ２の山部分の通気口５及び谷部分の排水口６によって第２パッキンＰ２の内外の気圧の差をなくすのである。このように、重ね接続部３の外部の気圧と第３パッキンＰ３以前の内部の気圧との間に差が生じるのを防止するのであり、重ね接続部３の内外の気圧の差に起因する雨水の浸入を効果的に防止するのである。
【００１６】
ところで、このような構成においては、第１パッキンＰ１の通気を兼ねた排水用開口４及び第２パッキンＰ２の谷部分に形成した通気を兼ねた排水口６から第３パッキンＰ３側に雨水が吹込みによって浸入するのであり、浸入した雨水は、排水口６及び排水用開口４から屋根勾配によって自然に排水することができるのである。このように、流入した雨水は自然に排水することができるのであり、しかして、重ね接続部３の内外の圧力差に起因する雨水の浸入を防止して充分なシールを図るものである。
【００１７】
図１、図２及び図４に示すように、第２パッキンＰ２の排水口６には、排水は許すが雨水の流入を阻止する逆止弁７を設けている。逆止弁７は、排水口６の軒側の上縁部において、弁板８の上端部を弁ケース９に揺動自在に軸１５にて枢支している。
【００１８】
このような構成によれば、逆止弁７によって、第２パッキンＰ２の排水口６からの雨水の浸入を阻止することができ、雨水の吹込みを防止することができるのである。更に、逆止弁７は、排水口６の軒側の上縁部において、弁板８の上端部を弁ケース９に揺動自在に枢支していることから、屋根の勾配に起因して僅かな開き状態になるのであり、このように自然状態では開いていることから、浸入した雨水の排水を良好におこなうことができながら、逆止弁７に浸入しようとする突発的な風雨の吹込み力によって弁板８を揺動させて閉じることができ、雨水の浸入を効果的に防止することができるのである。
【００１９】
ところで、第１パッキンＰ１乃至第３パッキンＰ３の配置、第１パッキンＰ１の谷部分に通気を兼ねた設けた排水用開口４、第２パッキンＰ２の山部分に形成した通気口５、谷部分に通気を兼ねて設けた排水口６の各寸法は以下のように設定して重ね接続部３の外部の圧力ＰＸと内部の圧力ＰＹとを等圧になるようにしている。
【００２０】
第１パッキンＰ１乃至第３パッキンＰ３は材質、寸法が等しい同仕様のものであり、第１パッキンＰ１の高さＨＡ、第２パッキンＰ２の高さＨＢ及び第３パッキンＰ３の高さＨＣは１．５ｃｍ、幅Ｗは３．０ｃｍである。山部２と谷部３とのピッチＬＣは３０ｃｍである。ところで、パッキンの高さＨＡ、ＨＢ、ＨＣとは、自由状態のパッキンの高さを約６割程度圧縮して使用する圧縮状態の高さを言う。
【００２１】
この場合、第３パッキンＰ３は重ね接続部３の上下の金属板１０、１０に対して圧接しているが、実際（ミクロ的）には、隙間が約０．０５ｍｍ程度生じている。このような隙間をなくすことは不可能であることから、隙間は残しながら隙間を雨水が越えることを防止しようとするものである。
【００２２】
このため、第３パッキン３の１ピッチの上下面における隙間面積Ｓに比べて
第２パッキンＰ２と第３パッキンＰ３との間の通路断面積Ｓ１、
第１パッキンＰ１と第２パッキンＰ２との間の通路断面積Ｓ２、
第２パッキンＰ２の山部２の通気口５の横断面積Ｓ３、
第１パッキンＰ１の谷部１の通気を兼ねた排水用開口４の横断面積Ｓ４
の各々が５〜７倍以上となるように設定したものである。
【００２３】
しかして、第１パッキンＰ１と第２パッキンＰ２との間隔ＬＡは７．５ｃｍ、第２パッキンＰ２と第３パッキンＰ３との間隔ＬＢは１７．５ｃｍとする。第１パッキンＰ１の通気を兼ねた排水用開口４の幅ＷＡは５．０ｃｍとする。第２パッキンＰ２の山部２の通気口５の幅ＷＢは２．０ｃｍとする。山部２と谷部３とのピッチＬＣは３０ｃｍとする。
【００２４】
従って、
Ｓ＝２×ＬＣ×０．０５ｍｍ＝２×３０ｃｍ×０．００５ｃｍ＝０．３ｃｍ2
Ｓ１＝ＬＢ×ＨＣ＝１７．５ｃｍ×１．５ｃｍ＝２６．２５ｃｍ2
Ｓ２＝ＬＡ×ＨＢ＝７．５ｃｍ×１．５ｃｍ＝１１．２５ｃｍ2
Ｓ３＝ＷＢ×ＨＢ＝２．０ｃｍ×１．５ｃｍ＝３．０ｃｍ2
Ｓ４＝ＷＡ×ＨＡ＝５．０ｃｍ×１．５ｃｍ＝７．５ｃｍ2
となり、等圧理論から、Ｓ１〜Ｓ４の何れもＳの５倍以上となる。
つまり、Ｓ×５≪Ｓ１、Ｓ２、Ｓ３、Ｓ４は、０．３×５≪３．０〜２６．２５より満足される。
【００２５】
ところで、逆止弁７の高さｍは第２パッキンＰ２の高さＨＢに等しく、長さｎはパッキンの幅Ｗに等しく、弁ケース９の厚さｔは２ｍｍである。
【００２６】
尚、本発明においては、軒側の屋根材Ａ１と棟側の屋根材Ａ２との断面形状は、例えば、図５（ａ）（ｂ）（ｃ）に示すように、一致していなくてもよいものである。そして、第１パッキンＰ１乃至第３パッキンＰ３の断面形状は、軒側の屋根材Ａ１と棟側の屋根材Ａ２とを重ねた形状になるものである。
【００２７】
【発明の効果】
請求項１においては、軒棟方向に連続する谷部と山部とを軒長さ方向に交互に形成して屋根材を形成し、軒側の屋根材の棟側端部に棟側の屋根材の軒側端部を重ねる屋根材の接続構造であって、軒側の屋根材と棟側の屋根材との重ね接続部の軒側部に第１パッキンを、重ね接続部の軒棟方向の中間部に第２パッキンを、重ね接続部の棟側部に第３パッキンを各々重ね接続部の軒長さ方向の全長にわたって設け、第１パッキンの谷部分に通気を兼ねた排水用開口を形成し、第２パッキンの山部分に通気口を、谷部分に通気を兼ねた排水口を形成しているから、第１パッキンの通気を兼ねた排水用開口によって第１パッキンの内外における気圧の差をなくし、第２パッキンの山部分の通気口及び谷部分の排水口によって第２パッキンの内外の気圧の差をなくし、結果として、重ね接続部の外部の気圧と第３パッキン以前の内部の気圧との間に差が生じるのを防止して略等圧とするのであり、重ね接続部の内部に内外の気圧の差に起因して吸込みによる雨水の浸入を防止することができ、つまり、負圧によるシール破壊を効果的に防止することができのである。
【００２８】
しかも、第１パッキンの通気を兼ねた排水用開口及び第２パッキンの谷部分に形成した通気を兼ねた排水口から第３パッキン側に浸入した雨水は、排水口及び排水用開口から屋根勾配によって自然に排水することができるのであり、このように、流入した雨水は自然に排水することができるのである。
【００２９】
しかして、重ね接続部の内外の圧力差に起因する雨水の浸入を効果的に防止して充分なシールを図ることができるという利点がある。
【００３０】
請求項２においては、第２パッキンの排水口には、排水は許すが雨水の流入を阻止する逆止弁を設けているから、請求項１の効果に加えて、第２パッキンの排水口からの雨水の浸入を阻止することができ、雨水の吹込みを防止することができるという利点がある。
【００３１】
請求項３においては、逆止弁は、排水口の軒側の上縁部において、弁板の上端部を弁ケースに揺動自在に枢支しているから、請求項２の効果に加えて、逆止弁は上端部において揺動自在に吊下げられていて、屋根の勾配に起因して僅かな開き状態になるのであり、このように自然状態では開いていることから、浸入した雨水の排水を良好におこなうことができながら、逆止弁に浸入しようとする風雨によって弁板を揺動させて閉じることができ、雨水の浸入を効果的に防止することができるという利点がある。
【図面の簡単な説明】
【図１】本発明の実施の一形態を示す概略斜視図である。
【図２】同上の概略断面図である。
【図３】同上の軒長さ方向の正断面図である。
【図４】同上の逆止弁を示し、（ａ）は斜視図、（ｂ）は弁ケースの斜視図、（ｃ）は作用示す説明図である。
【図５】同上の他の実施の形態を示し、（ａ）（ｂ）（ｃ）は軒長さ方向の概略断面図である。
【図６】従来例の概略断面図である。
【符号の説明】
１  谷部
２  山部
３  重ね接続部
４  通気を兼ねた排水用開口
５  通気口
６  排水口
７  逆止弁
【図１】
0003682196.tif 000002
【図２】
0003682196.tif 000003
【図３】
0003682196.tif 000004
【図４】
0003682196.tif 000005
【図５】
0003682196.tif 000006
【図６】
0003682196.tif 000007